(57)【要約】【課題】制御装置と非接続な状態で、放射線画像を撮影する放射線画像撮影装置において、当該放射線画像撮影装置の設定を行うことができる、放射線画像撮影装置、放射線画像撮影システム、放射線画像撮影プログラム、及び放射線画像の撮影方法を提供する。【解決手段】放射線発生装置１４の放射線照射動作と同期をとることなくＴＦＴ部３０で放射線発生装置１４から照射された放射線を検出して放射線画像の撮影を行い、設定画像識別部４２で当該放射線画像が設定指示画像であるか否かの認識を行う。設定指示画像である場合は、設定画像識別部４２は信号ＯＵＴＰＵＴ−１を画像転送部４６に出力して当該設定指示画像の画像データを制御装置１２に転送しないように抑制する。また、設定指示画像から設定項目に応じた設定情報を取得し、信号ＯＵＴＰＵＴ−２を設定値記憶部４４に出力して取得した設定項目に応じた設定情報が記憶されるよう制御する。【選択図】図２
2012070776.tif 000002
【特許請求の範囲】
【請求項１】
撮影面に照射された放射線に応じた放射線画像を撮影する撮影手段と、
前記放射線画像の撮影に関する変更可能な設定項目に関する設定情報を記憶する設定情報記憶手段と、
放射線非透過物によって放射線を遮蔽して撮影して得られた放射線画像に基づいて、前記設定情報に関連する画像が含まれているか否かを認識する認識手段と、
前記認識手段の認識結果に基づいて、前記設定情報に関連する画像が含まれている場合には当該画像に関連する前記設定情報が前記設定情報記憶手段に記憶されるよう制御する制御手段と、
を備えた放射線画像撮影装置。
【請求項２】
前記設定情報に関連する画像を、前記設定情報を表す形状の第１の画像、前記設定情報に対応する形状の第２の画像、及び前記設定情報に対応する位置に設けられた第３の画像の少なくとも１つとした、請求項１に記載の放射線画像撮影装置。
【請求項３】
前記第２の画像と前記設定情報との対応関係を記憶した対応関係記憶手段をさらに備えた、請求項２に記載の放射線画像撮影装置。
【請求項４】
前記撮影面は、複数の区分領域に分けられて区分領域毎に異なる前記設定情報が対応付けられており、前記制御手段は、前記第３の画像が前記放射線画像の何れの領域に含まれるか認識し、前記第３の画像が含まれると認識した前記放射線画像の領域に対応する前記区分領域に対応付けられた前記設定情報を設定情報記憶手段に記憶させる、請求項２または請求項３に記載の放射線画像撮影装置。
【請求項５】
前記制御手段は、前記第１の画像が文字、またはコード画像である場合は、当該文字、または当該コード画像が示す情報を前記設定情報として前記設定情報記憶手段に記憶させる、請求項１から請求項４のいずれか１項に記載の放射線画像撮影装置。
【請求項６】
前記設定項目は、前記放射線画像の撮影に関して外部装置と通信を行う際に必要な識別子、前記撮影面内の放射線が照射される領域のうちから表示手段に放射線画像を表示させる領域、及び前記撮影の際に前記撮影手段が前記放射線に応じた電荷を蓄積する電荷蓄積時間の少なくとも1つである、請求項１から請求項５のいずれか１項に記載の放射線画像撮影装置。
【請求項７】
前記認識手段は、電源が投入される毎に、電源が投入されてから所定の期間内に前記制御を行う、または、バッテリーが装着されて最初に電源が投入された場合に、電源が投入されてから所定の期間内に前記認識を行う、請求項１から請求項６のいずれか１項に記載の放射線画像撮影装置。
【請求項８】
前記認識手段は、電源の投入中に所定の指示操作を受け付けた場合に、前記指示操作を受け付けてから所定の期間内に前記認識を行う、請求項１から請求項７のいずれか１項に記載の放射線画像撮影装置。
【請求項９】
前記認識手段は、電源が投入されている間は、所定のタイミングで繰り返し前記認識を行う、請求項１から請求項６のいずれか１項に記載の放射線画像撮影装置。
【請求項１０】
放射線画像の撮影に関する設定を指示する制御装置と、
前記制御装置からの指示に基づいて、放射線を照射する放射線照射手段と、
前記放射線照射手段による前記放射線の照射動作と同期をとることなく、前記放射線照射手段から撮影面に照射された放射線に応じた放射線画像を撮影する、請求項１から請求項９のいずれか１項に記載の放射線画像撮影装置と、
を備えた放射線画像撮影システム。
【請求項１１】
撮影面に照射された放射線に応じた放射線画像を撮影する撮影ステップと、
放射線非透過物によって放射線を遮蔽して撮影して得られた放射線画像に基づいて、前記設定情報に関連する画像が含まれているか否かを認識する認識ステップと、
前記認識ステップの認識結果に基づいて、前記設定情報に関連する画像が含まれている場合には当該画像に関連する前記設定情報が設定情報記憶手段に記憶されるよう制御する制御ステップと、
を備えた処理をコンピュータに実行させるための放射線画像撮影プログラム。
【請求項１２】
撮影面に照射された放射線に応じた放射線画像を撮影する撮影工程と、
放射線非透過物によって放射線を遮蔽して撮影して得られた放射線画像に基づいて、前記設定情報に関連する画像が含まれているか否かを認識する認識工程と、
前記認識工程の認識結果に基づいて、前記設定情報に関連する画像が含まれている場合には当該画像に関連する前記設定情報が設定情報記憶手段に記憶されるよう制御する制御工程と、
を備えた放射線画像の撮影方法。
【発明の詳細な説明】
【技術分野】
【０００１】
本発明は、放射線画像撮影装置、放射線画像撮影システム、放射線画像撮影プログラム、及び放射線画像の撮影方法に係り、特に放射線発生装置の放射線照射動作と同期をとることなく放射線画像を撮影する放射線画像撮影装置、放射線画像撮影システム、放射線画像撮影プログラム、及び放射線画像の撮影方法に関する。
【背景技術】
【０００２】
従来、医療診断を目的とした放射線撮影を行う放射線画像撮影システムが知られている。当該放射線画像撮影システムとしては、放射線を発生する放射線発生装置と、被検体を透過した放射線を検出して放射線画像を撮影する放射線画像撮影装置として、いわゆるカセッテ等の放射線検出パネルユニットと、当該放射線発生装置及び当該放射線検出パネルユニットを制御する制御装置と、を備えた放射線画像撮影システムがある。
【０００３】
一般に、放射線検出パネルユニットには、各種設定を行うためのユーザインタフェースを備えるのが難しいため、１〜２個のボタンスイッチ及び簡単なＬＥＤ程度しか備えられていない。耐久性や軽量薄型化や故障率や誤操作低減等のためには、これらのボタンスイッチすら省くのが好ましい。そのため、このような放射線検出パネルユニットの各種設定を行う場合には、制御装置が接続されている放射線検出パネルユニットに対して各種設定の指示を行う場合が一般的である。
【０００４】
近年では、無線ＬＡＮ（Ｌｏｃａｌ  Ａｒｅａ  Ｎｅｔｗｏｒｋ）等の無線通信により制御装置と接続されるワイヤレスの放射線検出パネルユニットが知られている。このようなワイヤレスの放射線検出パネルユニットでは、無線通信により接続された制御装置から各種設定の指示が行われるが、例外として、制御装置と放射線検出パネルユニットとの紐付けを決めるためのＩＤ（例えば、無線ＬＡＮの場合ではいわゆるＳＳＩＤ（Ｓｅｒｖｉｃｅ  Ｓｅｔ  Ｉｄｅｎｔｉｆｉｅｒ）に関しては設定が行えない場合がある。ＳＳＩＤは、無線ノードの各個体（アクセスポイント）を識別するための識別子（ＩＤ）であり、同じＩＤ同士が紐付けられ、接続される。当該設定を変更した場合、放射線検出パネルユニットに紐付けられていた制御装置が切り替わるためである。仮に、切り替えた制御装置が存在しないものである場合、以降、当該放射検出パネルユニットに紐付けされる制御装置が存在しない状態になり、何の紐付け行為もできず、設定変更もできず、結果として放射検出パネルユニットとして使用できない状態になるという障害が発生する場合がある。例えば、ある放射検出パネルユニットを部屋Ａで、当該部屋Ａにある制御装置Ａと接続して（紐付けて）使用した後、当該放射検出パネルユニットを部屋Ｂに持ち込み、当該部屋Ｂにある制御装置Ｂと接続しようとする場合等にこのような障害が発生する可能性がある。
【０００５】
このような障害の発生を抑制するためには、例えば、特許文献１に記載の技術を用いることが挙げられる。特許文献１には、撮影室間を移動しても撮影により取得した放射線画像データとコンソール（制御端末）との対応付けを容易に行うために、放射線画像検出装置に繋がったアクセスポイント（端末装置）と紐付けする技術が記載されている。また、１つの放射線画像検出装置に繋がるアクセスポイントが複数ある場合には、最も電波強度が強いアクセスポイントに接続する技術が記載されている。
【先行技術文献】
【特許文献】
【０００６】
【特許文献１】特開２００１−２１６９６号公報
【発明の概要】
【発明が解決しようとする課題】
【０００７】
しかしながら、上記特許文献１に記載の技術では、以下の様な問題点があり、制御装置と、放射線検出パネルユニットとを適切に紐付けることができず、上述の障害が発生してしまう場合がある。
【０００８】
例えば、放射線画像検出装置と繋がったアクセスポイントや、電波強度が一番強いアクセスポイントが、当該放射線画像検出装置を持ち込んだ部屋にあるとは限らず、接続したいアクセスポイントと異なるアクセスポイントに紐付けられてしまう場合がある。例えば、隣室の部屋にあるアクセスポイントに繋がってしまう場合や、遠くの部屋のアクセスポイントの方が電波強度が強い場合等が挙げられる。また例えば、いずれのアクセスポイントにも繋がらない場合も有り得る。
【０００９】
本発明は、このような従来の技術の問題点に鑑みて、放射線画像を撮影する放射線画像撮影装置において、制御装置と非接続な状態で放射線画像の撮影に関する設定を行うことができる、放射線画像撮影装置、放射線画像撮影システム、放射線画像撮影プログラム、及び放射線画像の撮影方法を提供することを目的とする。
【課題を解決するための手段】
【００１０】
上記目的を達成するために、請求項１に記載の放射線画像撮影装置は、撮影面に照射された放射線に応じた放射線画像を撮影する撮影手段と、前記放射線画像の撮影に関する変更可能な設定項目に関する設定情報を記憶する設定情報記憶手段と、放射線非透過物によって放射線を遮蔽して撮影して得られた放射線画像に基づいて、前記設定情報に関連する画像が含まれているか否かを認識する認識手段と、前記認識手段の認識結果に基づいて、前記設定情報に関連する画像が含まれている場合には当該画像に関連する前記設定情報が前記設定情報記憶手段に記憶されるよう制御する制御手段と、を備える。
【００１１】
放射線画像の撮影に関する変更可能な設定項目に関する設定情報を設定情報記憶手段に記憶させる場合、設定情報に関連する画像を形成するための放射線非透過物によって放射線が遮蔽された状態で撮影手段は、放射線画像を撮影する。
【００１２】
認識手段は、撮影手段により撮影して得られた放射線画像に基づいて、設定情報に関連する画像が含まれているか否かを認識し、制御手段は、認識手段の認識結果に基づいて、設定情報に関連する画像が含まれている場合には当該画像に関連する設定情報が設定情報記憶手段に記憶されるよう制御する。
【００１３】
このように、撮影手段で撮影した放射線画像に基づいて、設定情報が設定情報記憶手段に記憶されるため、放射線画像撮影装置は、外部の制御装置と非接続な状態で放射線画像の撮影に関する設定を行うことができる。
【００１４】
従って、設定情報を記憶させるためのスイッチ等を設けずとも、撮影した放射線画像に基づいて設定情報を容易に記憶させることができる。
【００１５】
また、本発明は、請求項２に記載の放射線画像撮影装置のように、前記設定情報に関連する画像を、前記設定情報を表す形状の第１の画像、前記設定情報に対応する形状の第２の画像、及び前記設定情報に対応する位置に設けられた第３の画像の少なくとも１つとしてもよい。
【００１６】
また、本発明は、請求項３に記載の放射線画像撮影装置にように、前記第２の画像と前記設定情報との対応関係を記憶した対応関係記憶手段をさらに備えるようにしてもよい。
【００１７】
また、本発明は、請求項４に記載の放射線画像撮影装置にように、前記撮影面は、複数の区分領域に分けられて区分領域毎に異なる前記設定情報が対応付けられており、前記制御手段は、前記第３の画像が前記放射線画像の何れの領域に含まれるか認識し、前記第３の画像が含まれると認識した前記放射線画像の領域に対応する前記区分領域に対応付けられた前記設定情報を設定情報記憶手段に記憶させるようにしてもよい。
【００１８】
また、本発明は、請求項５に記載の放射線画像撮影装置にように、前記制御手段は、前記第１の画像が文字、またはコード画像である場合は、当該文字、または当該コード画像が示す情報を前記設定情報として前記設定情報記憶手段に記憶させるようにしてもよい。
【００１９】
また、本発明は、請求項６に記載の放射線画像のように、前記設定項目は、前記放射線画像の撮影に関して外部装置と通信を行う際に必要な識別子、前記撮影面内の放射線が照射される領域のうちから表示手段に放射線画像を表示させる領域、及び前記撮影の際に前記撮影手段が前記放射線に応じた電荷を蓄積する電荷蓄積時間の少なくとも1つであるようにしてもよい。
【００２０】
また、本発明は、請求項７に記載の放射線画像撮影装置にように、前記認識手段は、電源が投入される毎に、電源が投入されてから所定の期間内に前記制御を行う、または、バッテリーが装着されて最初に電源が投入された場合に、電源が投入されてから所定の期間内に前記認識を行うようにしてもよい。
【００２１】
また、本発明は、請求項８に記載の放射線画像撮影装置にように、前記認識手段は、電源の投入中に所定の指示操作を受け付けた場合に、前記指示操作を受け付けてから所定の期間内に前記認識を行うようにしてもよい。
【００２２】
また、本発明は、請求項９に記載の放射線画像撮影装置にように、前記認識手段は、電源が投入されている間は、所定のタイミングで繰り返し前記認識を行うようにしてもよい。
【００２３】
また、請求項１０に記載の放射線画像撮影システムは、放射線画像の撮影に関する設定を指示する制御装置と、前記制御装置からの指示に基づいて、放射線を照射する放射線照射手段と、前記放射線照射手段による前記放射線の照射動作と同期をとることなく、前記放射線照射手段から撮影面に照射された放射線に応じた放射線画像を撮影する、請求項１から請求項９のいずれか１項に記載の放射線画像撮影装置と、を備える。
【００２４】
また、請求項１１に記載の放射線画像撮影プログラムは、撮影面に照射された放射線に応じた放射線画像を撮影する撮影ステップと、放射線非透過物によって放射線を遮蔽して撮影して得られた放射線画像に基づいて、前記設定情報に関連する画像が含まれているか否かを認識する認識ステップと、前記認識ステップの認識結果に基づいて、前記設定情報に関連する画像が含まれている場合には当該画像に関連する前記設定情報が設定情報記憶手段に記憶されるよう制御する制御ステップと、を備える。
【００２５】
また、請求項１２に記載の放射線画像の撮影方法は、撮影面に照射された放射線に応じた放射線画像を撮影する撮影工程と、放射線非透過物によって放射線を遮蔽して撮影して得られた放射線画像に基づいて、前記設定情報に関連する画像が含まれているか否かを認識する認識工程と、前記認識工程の認識結果に基づいて、前記設定情報に関連する画像が含まれている場合には当該画像に関連する前記設定情報が設定情報記憶手段に記憶されるよう制御する制御工程と、を備える。
【発明の効果】
【００２６】
以上説明したように、放射線画像を撮影する放射線画像撮影装置において、制御装置と非接続な状態で放射線画像の撮影に関する設定を行うことができるという効果が得られる。
【図面の簡単な説明】
【００２７】
【図１】本実施の形態に係る放射線画像撮影システムの構成の一例を示す概略構成図である。
【図２】本実施の形態に係る放射線検出器の概略構成の一例を示す機能ブロック図である。
【図３】本実施の形態に係る放射線検出器のＴＦＴ部の構成の一例を模式的に示す断面図である。
【図４】本実施の形態に係る放射線検出器のＴＦＴ部の構成のその他の一例を模式的に示す断面図である。
【図５】本実施の形態に係る放射線検出器において放射線画像を撮影する毎に実行される設定情報記憶処理動作の流れの一例を示すフローチャートである。
【図６】本実施の形態に係る領域により設定情報を指示する方法を説明するための説明図である。
【図７】本実施の形態に係る文字情報により設定情報を指示する方法を説明するための説明図であり、（Ａ）は文字形状の遮蔽部材を示しており、（Ｂ）は文字形状部分を放射線が透過する形状の遮蔽部材を示している。
【図８】本実施の形態に係る形成された画像の形状により設定情報を指示する方法を説明するための説明図であり、設定情報に対応する様々な形状の遮蔽部材を示している。
【図９】本実施の形態に係るコード画像により設定情報を指示する方法を説明するための説明図であり、（Ａ）は１次元のコード画像であるバーコード形状の遮蔽部材を示しており、（Ｂ）は２次元のコード画像であるＱＲコード形状の遮蔽部材を示している。
【図１０】本実施の形態に係る放射線検出器において予め定められたタイミングで実行される設定情報記憶処理動作の流れの一例を示すフローチャートである。
【発明を実施するための形態】
【００２８】
以下、各図面を参照して本実施の形態の放射線画像撮影システムの一例について説明する。図１に、本実施の形態に係る放射線画像撮影システムの概略構成の一例を示す。なお、図１では、部屋Ａ、Ｂ、Ｃ毎に、同様の放射線画像撮影システム１０（１０Ａ、１０Ｂ、１０Ｃ）が設置されている場合を示している。以下、部屋Ａ、Ｂ、Ｃ及び部屋Ａ、Ｂ、Ｃ毎に備えられている放射線画像撮影システム１０Ａ、１０Ｂ、１０Ｃ等を区別する場合は、Ａ、Ｂ、Ｃの符号を付して説明し、個々を区別せずに総称する場合は、Ａ、Ｂ、Ｃの符号の記載を省略する。
【００２９】
本実施の形態の放射線画像撮影システム１０は、制御装置１２、放射線発生装置１４、及び放射線検出器１６を備えて構成されている。
【００３０】
制御装置１２は、放射線検出器１６と無線により接続されており、通信Ｉ／Ｆ２６を介して無線によるコマンド・データ伝送により放射線検出器１６に対して各種制御を実行する機能を有している。また、制御装置１２は、放射線発生装置１４と接続されており、放射線（例えばエックス線（Ｘ線）等）を発生するタイミングを制御する機能を有している。制御装置１２は、ＣＰＵ（Ｃｅｎｔｒａｌ  Ｐｒｏｃｅｓｓｉｎｇ  Ｕｎｉｔ）２０、メモリ２２、処理部２４、及び通信Ｉ／Ｆ２６を備えて構成されており、ＣＰＵ２０、メモリ２２、処理部２４、及び通信Ｉ／Ｆ２６は、ＣＰＵバス等のバス２８により、互いに信号の授受が可能に接続されている。ＣＰＵ２０は、メモリ２２に予め記憶されている各種プログラムを実行することにより、制御装置１２全体の動作を制御する機能を有するものである。また、処理部２４は、放射線検出器１６から画像データを取得して各種の処理を行う機能を有するものである。
【００３１】
制御装置１２の制御に基づいたタイミングで、放射線発生装置１４は、放射線管１５から放射線を被験体１８に照射する。放射線発生装置１４から照射された放射線は、被検体１８を透過することで画像情報を担持した状態になって、放射線検出器１６に照射される。
【００３２】
図２に、本実施の形態の放射線検出器１６の略構成の一例の機能ブロック図を示す。本実施の形態の放射線検出器１６は、放射検出パネルユニットであり、ＦＰＤ（Ｆｌａｔ  Ｐａｎｅｌ  Ｄｅｔｅｃｔｏｒ）等、いわゆるカセッテ等が挙げられる。
【００３３】
放射線検出器１６は、ＴＦＴ（Ｔｈｉｎ  Ｆｉｌｍ  Ｔｒａｎｓｉｓｔｏｒ、薄膜トランジスタ）部３０、チャージアンプ・ＭＵＸ（マルチプレクサ）３２、Ａ／Ｄコンバータ３４、制御部３６、ゲート駆動部３８、処理部４０、設定画像識別部４２、設定値記憶部４４、画像転送部４６、及び電源部４８を備えて構成されている。
【００３４】
ＴＦＴ部３０は、照射された放射線を検出する機能を有するものである。図３に、ＴＦＴ部３０の構成の一例を模式的に示した断面図を示す。図３に示すように、放射線検出器１６は、絶縁性基板５０にＴＦＴ等のスイッチ素子５２が形成されたＴＦＴ基板５４を含んで構成されている。
【００３５】
スイッチ素子５２は、各スイッチ素子５２をオン、オフ、させるためのゲート線６８に接続されている。当該ＴＦＴ基板５４上には、入射される放射線を光に変換するシンチレータ層５６が形成されている。シンチレータ層５６としては、例えば、ＣＳＩ：Ｔｌ、Ｇｏｓ（Ｇｄ２Ｏ２Ｓ：Ｔｂ）蛍光体等を用いることができる。なお、シンチレータ層５６は、これらの材料に限られるものではない。
【００３６】
絶縁性基板５０としては、例えば、ガラス基板、各種セラミック基板、樹脂基板等を用いることができるが、これらの材料に限られるものではない。
【００３７】
シンチレータ層５６とＴＦＴ基板５４との間には、シンチレータ層５６によって変換された光が入射されることにより電荷を発生する光導電層５８が配置されている。当該光導電層５８のシンチレータ層５６側の表面には、光導電層５８にバイアス電圧を印加するためのバイアス電極６０が設けられている。
【００３８】
また、ＴＦＴ基板５４には、光導電層５８で発生した電荷を収集するための電荷収集電極６２が設けられている。ＴＦＴ基板５４では、各電荷収集電極６２で収集された電荷がスイッチ素子５２によって読み出される。
【００３９】
電荷収集電極６２は、ＴＦＴ基板５４上に、マトリックス状（二次元状）に配置されており、これに対応してスイッチ素子ＴＦＴが絶縁性基板５０上にマトリックス状に配置されている。また、ＴＦＴ基板５４には、ＴＦＴ基板５４上を平坦化するための平坦化層６４が形成されている。また、ＴＦＴ基板５４とシンチレータ層５６との間であって、平坦化層６４上には、シンチレータ層５６をＴＦＴ基板５４に接着するための接着層６６が形成されている。
【００４０】
放射線検出器１６は、シンチレータ層５６が接着された表側から放射線が照射（表側が撮影面）されてもよいし、ＴＦＴ基板５４側（裏側）から放射線が照射（裏側が撮影面）されてもよい。放射線検出器１６は、表側から放射線が照射された場合、シンチレータ層５６の上面側（ＴＦＴ基板５４の反対側）でより強く発光し、裏側から放射線が照射された場合、ＴＦＴ基板５４を透過した放射線がシンチレータ層５６に入射してシンチレータ層５６のＴＦＴ基板５４側がより強く発光する。各光導電層５８には、シンチレータ層５６で発生した光により電荷が発生する。このため、放射線検出器１６は、表側から放射線が照射された場合の方が裏側から放射線が照射された場合よりも、放射線がＴＦＴ基板５４を透過しないため、放射線に対する感度を高く設計することが可能であり、また、裏側から放射線が照射された場合の方が表側から放射線が照射された場合よりも、各光導電層５８に対するシンチレータ層５６の発光位置が近いため、撮影によって得られる放射線画像の分解能が高い。
【００４１】
なお、ＴＦＴ部３０の構造等は、これに限らず、放射線検出器１６に照射された放射線に応じた電荷を蓄積し、出力する機能を有するものであれば限定されず、その他の構造であってもよい。ＴＦＴ部３０のその他の構造の一例を図４に示す。図４は、ＴＦＴ部３０の構成のその他の一例を模式的に示した断面図である。図４に示したＴＦＴ部３０では、放射線を直接アモルファスセレン等を用いたセンサ部で電荷に変換して蓄積する直接変換方式の構造を示している。
【００４２】
図４に示したＴＦＴ部３０では、入射される放射線を変換する放射線変換層の一例として、入射される放射線を電荷に変換する光導電層５９が、ＴＦＴ基板５４上に形成されている。光導電層５９としては、アモルファスセレン（ａ−Ｓｅ）、Ｂｉ１２ＭＯ２０（Ｍ：Ｔｉ、Ｓｉ、Ｇｅ）、Ｂｉ４Ｍ３Ｏ１２（Ｍ：Ｔｉ、Ｓｉ、Ｇｅ）、Ｂｉ２Ｏ３、ＢｉＭＯ４（Ｍ：Ｎｂ、Ｔａ、Ｖ）、Ｂｉ２ＷＯ６、Ｂｉ２４Ｂ２Ｏ３９、ＺｎＯ、ＺｎＳ、ＺｎＳｅ、ＺｎＴｅ、ＭＮｂＯ３（Ｍ：Ｌｉ、Ｎａ、Ｋ）、ＰｂＯ、ＨｇＩ２、ＰｂＩ２、ＣｄＳ、ＣｄＳｅ、ＣｄＴｅ、ＢｉＩ３、ＧａＡｓ等のうち少なくとも１つを主成分とする化合物等が用いられるが、暗抵抗が高く、放射線照射に対して良好な光導電性を示し、真空蒸着法により低温で大面積成膜が可能な非晶質（アモルファス）材料が好ましい。
【００４３】
光導電層５９上には、光導電層５９の表面側に形成され、光導電層５９へバイアス電圧を印加するためのバイアス電極６１が形成されている。
【００４４】
直接変換方式のＴＦＴ部３０では、間接変換方式のＴＦＴ部３０（上述の図３参照）と同様に、光導電層５９で発生した電荷を収集する電荷収集電極６２がＴＦＴ基板５４上に形成されている。
【００４５】
また、直接変換方式のＴＦＴ部３０におけるＴＦＴ基板５４は、各電荷収集電極６２で収集された電荷を蓄積する電荷蓄積容量６３を備えている。この各電荷蓄積容量６３に蓄積された電荷が、スイッチ素子５２によって読み出される。
【００４６】
ＴＦＴ部３０において読み出された電荷は、チャージアンプ・ＭＵＸ３２に出力される。チャージアンプ３２は、電荷を電気的情報としてのアナログ電圧に変換する機能を有するものであり、具体的例としては、オペアンプ及びコンデンサで構成されている。また本実施の形態では、具体的にはチャージアンプ３２は、２５６ｃｈ×１２系統有り、３０７２個の回路を構成するとコストアップ等につながるため、ＭＵＸ３２でパラレル−シリアル変換を行い、１ｃｈ×１２系統ずつの信号を順次選択してＡ／Ｄコンバータ３４に出力するように構成されている。
【００４７】
Ａ／Ｄコンバータ３４は、シリアル入力されたアナログ電圧を、より取り扱いが容易なデジタル信号に変換する機能を有するものである。Ａ／Ｄコンバータ３４によりデジタル信号に変換された放射線画像の２次元の画像データは、制御部３６に出力される。制御部３６はマイクロコンピュータによって構成され、図示を省略したＣＰＵ、ＲＯＭおよびＲＡＭを含むメモリ、フラッシュメモリ等からなる不揮発性の記憶部を含んで構成されており、メモリに記憶されている各種プログラムをＣＰＵで実行することにより放射線検出器１６全体の動作を制御する機能を有するものである。
【００４８】
制御部３６は、当該画像データを処理部４０に伝送する。処理部４０には、画像メモリ（図示省略）が接続されており、伝送された画像データが画像メモリに順に記憶される。本実施の形態では、画像メモリは所定枚数分の画像データを記憶可能な記憶容量を有しており、放射線画像の撮影が行われる毎に、撮影によって得られた画像データが画像メモリに順次記憶されるように構成されている。
【００４９】
画像データは、処理部４０から画像転送部４６にさらに伝送される。画像転送部４６は、ライン毎の画像データを無線にてパケット伝送する機能を有するものである。このように本実施の形態の画像転送部４６は、外部装置（ここでは制御装置１２）と無線通信を行う機能を有するものであり、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ／ｂ／ｇ／ｎ等に代表される無線ＬＡＮ規格に対応しており、無線通信による外部機器との間での各種情報の伝送を制御する。画像転送部４６は、ＳＳＩＤ４７を参照して、ＳＳＩＤ４７により紐付けられているアクセスポイントと無線通信を行う。ＳＳＩＤ４７には、設定値記憶部４４のＳＳＩＤの項目に記憶されているＳＳＩＤが設定される。
【００５０】
また、画像転送部４６を介することにより、制御部３６は、制御装置１２等の放射線画像撮影全体を制御する外部装置と無線通信が可能とされており、制御装置１２との間で各種情報の送受信が可能とされている。被験体１８の放射線画像を撮影する際は、制御部３６は、制御装置１２から画像転送部４６を介して受信される撮影条件や被験体１８情報等の各種情報を記憶し、撮影条件に基づいて電荷の読み出しを行う。
【００５１】
このようにして本実施の形態の放射線検出器１６では、照射された放射線に応じた放射線画像の撮影が行われる。なお、本実施の形態の放射線検出器１６による放射線画像の撮影動作は、放射線発生装置１４による放射線の照射と同期をとることなく実行される（詳細後述）。
【００５２】
また、本実施の形態の処理部４０は、制御部３６から伝送された２次元の画像データ（ＩＮＰＵＴ）を設定画像識別部４２にも伝送する。設定画像識別部４２は、伝送された２次元画像が、設定指示画像であるかを認識する機能と、設定指示画像である場合には、当該設定指示画像に応じた設定情報を設定値記憶部４４に記憶させるよう制御する機能と、を有するものである。なお、詳細は後述するが設定指示画像とは、設定情報を指示するための画像が含まれている放射線画像のことをいう。
【００５３】
設定画像識別部４２は、ＩＮＰＵＴが被験体１８を撮影した被験体撮影画像及び設定指示画像のいずれであるかを認識する。設定指示画像である場合は、２次元の画像データが設定指示画像である（または、被検体撮影画像ではない）旨を表す信号ＯＵＴＰＵＴ−１を画像転送部４６に出力する。信号ＯＵＴＰＵＴ−１の入力により、画像転送部４６では、処理部４０から伝送された２次元の画像データを制御装置１２に転送しないように転送動作が抑制される。
【００５４】
また、設定指示画像である場合は、当該設定指示画像に応じた設定情報を取得する。本実施の形態では、設定項目に応じた設定情報を取得して、信号ＯＵＴＰＵＴ−２を設定値記憶部４４に出力し、取得した設定項目に応じた設定情報を設定値記憶部４４に記憶させるよう制御する。設定値記憶部４４は、放射線画像撮影システム１０における放射線画像の撮影に関した設定項目に関する設定情報を記憶する機能を有するものである。本実施の形態では、設定項目は、少なくとも、制御装置１２と無線通信を行うための識別子（ＳＳＩＤ）を含んでいる。なお、設定項目はこの他、特に限定されず、例えば、ＴＦＴ部３０の電荷蓄積時間や、撮影面全域ではなく一部の領域（被験体１８の撮影部位に応じた領域等）を制御装置１２の表示手段（図示省略）に表示させる場合は、当該表示手段に表示させたい領域等、撮影に関したその他の各種設定項目（設定項目に応じた設定情報）であってもよい。なお、このように撮影に関するその他の設定情報が設定値記憶部４４に記憶されている場合は、制御部３６は、設定値記憶部４４に記憶されている設定情報に基づいて、放射線画像の撮影を行う。
【００５５】
なお、設定値記憶部４４を不揮発性のメモリで構成し、放射線検出器１６の電源が遮断された場合でも記憶している設定情報が保持されるように構成してもよい。
【００５６】
また、本実施の形態の放射線検出器１６には、電源部４８が備えられており、上述した各部等は、電源部４８から供給された電力によって動作する。電源部４８は、放射線検出器１６の可搬性を損なわないように、バッテリー（充電可能な二次電池）を内蔵しており、充電されたバッテリーから各部等へ電力を供給する。なお、図２では、図が煩雑になるのを防ぐために、電源部４８と各部等を接続する配線を省略して記載している。
【００５７】
次に、本実施の形態の放射線検出器１６における、設定指示画像に基づいて設定情報を設定値記憶部４４に記憶させるよう制御する処理（以下、設定情報記憶処理という）動作について図面を参照して詳細に説明する。なお、ここでは、設定値記憶部４４にＳＳＩＤを記憶させるよう制御する場合、さらに詳しくは、部屋Ｂにおいて制御装置１２Ｂ（ＳＳＩＤ＝Ｂ）と紐付けるために、ＳＳＩＤ＝Ｂを記憶させるよう制御する場合、すなわち、設定項目がＳＳＩＤ、設定情報＝Ｂである場合について詳細に説明する。
【００５８】
設定情報記憶処理を行うタイミングは、種々挙げられる。なお設定項目がＳＳＩＤである場合、設定情報記憶処理を行うタイミングでは、所望のＳＳＩＤが設定値記憶部４４に記憶されていないため、放射線検出器１６は、所望の制御装置１２と接続できない状態にある。しかしながら、本実施の形態の放射線検出器１６は放射線画像の撮影動作を、放射線発生装置１４における放射線の照射動作と同期をとることなく行うことができるものであるため、制御装置１２と非接続の状態であっても、放射線画像（設定指示画像）を取得することができる。照射動作と同期をとることなく、放射線画像の撮影を行う方法としては、ＴＦＴ部３０で電荷蓄積を開始する条件を予め定めておき、当該条件が成立したことをトリガとして撮影タイミングを判断して撮影（電荷蓄積）を行う方法や、予め定められた画素または専用の画素に蓄積された電荷を読み出し、読み出した電荷の値が予め定められた閾値を越えた場合に撮影タイミングと判断して撮影を行う方法等が挙げられるが、特に限定されない。なおいずれの方法においても、放射線画像の撮影のための電荷蓄積を開始する直前でそれまでに蓄積された電荷をリセットするリセット動作を行うことが好ましい。
【００５９】
まず、設定情報記憶処理を行うタイミングとして、放射線画像を撮影する毎に、設定情報記憶処理を行う場合について詳細に説明する。  図５は、放射線検出器１６において実行される設定情報記憶処理の流れの一例を示すフローチャートである。設定情報記憶処理を行う際には、制御部３６において、メモリの所定の領域に予め記憶されているプログラムがＣＰＵにより実行される。
【００６０】
ステップ１００では、撮影タイミングであるか否か判断する。上述した方法等により撮影タイミングであるか否か判断し、否定された場合は、待機状態になり、肯定されるとステップ１０２へ進み、ステップ１０２では、上述したリセット動作を行う。
【００６１】
次のステップ１０４では、放射線画像を撮影し、次のステップ１０６では、撮影した放射線画像が設定指示画像であるか否か判断する。放射線画像が被験体１８を撮影した被験体撮影画像である場合等は否定され、本処理を終了する。一方、設定指示画像を撮影した場合は、肯定されてステップ１０８へ進む。ステップ１０８では、設定画像識別部４２から、設定指示画像である旨を示す信号ＯＵＴＰＵＴ−１を画像転送部４６に出力することにより、制御装置１２への画像転送を抑制する。
【００６２】
次のステップ１１０では、設定指示画像に基づいて設定情報を取得する設定情報取得処理を行い、設定情報を取得する。本実施の形態では、上述したように具体的一例としてＳＳＩＤ＝Ｂを取得する。次のステップ１１２では、取得した設定情報（ＳＳＩＤ＝Ｂ）を示す信号ＯＵＴＰＵＴ−２を設定値記憶部４４に出力し、設定値記憶部４４の設定項目ＳＳＩＤに設定情報（Ｂ）を記憶させた後、本処理を終了する。これにより、当該放射線検出器１６と、制御装置１２Ｂとが紐付けられた状態になり、以降、画像転送部４６が参照するＳＳＩＤ４７がＢとなり、画像転送部４６により画像データが制御装置１２Ｂに転送される。
【００６３】
ここで、本実施の形態の設定情報を指示する方法、設定指示画像、及び上述のステップ１１０の設定情報取得処理について詳細に説明する。設定情報を指示する方法（設定し自画像）について種々の方法が挙げられる。
【００６４】
まず、図６を参照して領域により指示する方法を説明する。図６に示すように、放射線検出器１６の撮影面の領域を例えば、縦２列×横３行の６つの領域に区分し、区分された個々の領域に設定情報（具体的例としてＳＳＩＤ＝Ａ〜Ｆ）を割り当てる。設定指示画像を撮影する際に、遮蔽部材７０を設定したい設定情報が割り当てられた区分領域上に載置し、放射線発生装置１４から放射線を照射させ、放射線画像を撮影する。この場合、設定情報が割り当てられた領域に遮蔽部材７０の像が形成されている放射線画像を設定指示画像という。
【００６５】
ステップ１１０では、設定画像識別部４２は、設定指示画像から遮蔽部材の像が形成されている区分領域を認識する。本実施の形態では、区分領域と設定情報との対応関係が設定値記憶部４４等の記憶部に記憶されており、設定画像識別部４２は記憶されている対応関係に基づいて、認識した区分領域に割り当てられた設定情報を取得する。図６に示したように、区分領域Ｂ上に遮蔽部材７０が載置された設定指示画像を撮影した場合は、設定項目＝ＳＳＩＤの設定情報＝Ｂを取得する。
【００６６】
なお、例えば、遮蔽部材７０を載置する位置がずれてしまい、遮蔽部材７０の像が複数の区分領域にわたって形成されていた場合、遮蔽部材７０の像の面積が最も大きい区分領域に割り当てられた設定情報を取得するようにするとよい。
【００６７】
また、撮影面の領域の区分の仕方はこれに限らない。例えば、図１の部屋Ａ〜Ｃ等、放射線画像撮影室の見取図（配置図）等を用いて、撮影室毎に領域を区分するようにすると、撮影を行う利用者や管理者等は、わかりやすくなる。
【００６８】
次に、図７を参照して文字情報により指示する方法を説明する。設定情報が示された文字形状の遮蔽部材７２を予め用意しておきこれを撮影する。図７（Ａ）に示すように、放射線検出器１６の撮影面の領域に、文字形状の遮蔽部材７２（図７では、「ＳＳＩＤ  Ｂ」を載置し、放射線発生装置１４から放射線を照射させ、放射線画像を撮影する。この場合、文字形状が撮影された文字画像が形成されている放射線画像を設定指示画像という。なお、文字形状の遮蔽部材は遮蔽部材７２に限らない。例えば、図７（Ａ）に示した遮蔽部材７２は、文字部分が遮蔽される形状であるが、反対に、図７（Ｂ）に示したように文字の部分を放射線が透過する形状の遮蔽部材７２であってもよい。
【００６９】
ステップ１１０では、設定画像識別部４２は、設定指示画像に対して既知の文字認識手法を用いて、文字認識を行い、設定情報を取得する。図７に示した場合では、設定項目＝ＳＳＩＤの設定情報＝Ｂを取得する。
【００７０】
次に、図８を参照して形成された画像の形状により指示する方法を説明する。設定情報に対応する形状（例えば、記号等）の遮蔽部材７４を予め用意しておきこれを撮影する。例えば、図８に示すように、星形状、丸形状、四角形状、矢印形状、三角形状等の遮蔽部材７４を予め用意しておく。本実施の形態では、さらに当該形状と設定情報との対応関係を設定値記憶部４４等の記憶部に記憶させておく。具体的一例としては、丸形状がＳＳＩＤ＝Ｂであるという対応関係を記憶させておけばよい。そして、放射線検出器１６の撮影面の領域に、所望の設定情報に対応する形状の遮蔽部材７４（ＳＳＩＤ＝Ｂを設定する場合、上述の具体的一例では丸形状の遮蔽部材７４）を載置し、放射線発生装置１４から放射線を照射させ、放射線画像を撮影する。この場合、設定情報に対応する形状が撮影された画像が形成されている放射線画像を設定指示画像という。
【００７１】
ステップ１１０では、設定画像識別部４２は、設定指示画像に対して既知の画像認識手法を用いて、画像の形状の認識を行い、記憶されている対応関係に基づいて、認識した形状に対応する設定情報を取得する。上述の具体的一例では、丸形状であることを認識し、対応関係に基づいて、設定項目＝ＳＳＩＤの設定情報＝Ｂを取得する。
【００７２】
なお、設定情報に対応する形状の遮蔽部材は遮蔽部材７４に限らない。例えば、上述の文字形状の遮蔽部材７２のように、設定情報に対応する形状が遮蔽されるものであってもよいし、設定情報に対応する形状部分を放射線が透過するものであってもよい。また、図８に示した形状に限らないが、遮蔽部材７４を放射線検出器１６の撮影面に利用者や管理者等が載置した際に、図８に示したような右向きの矢印形状や、下向きの矢印形状の遮蔽部材７４では、載置する向き（状態）を誤ると、矢印の向きが変ってしまうため、載置する向き等に係わらない形状（図８に示した矢印以外の形状等）にする方が、設定情報の指示の誤りを防止する観点や、利用者や管理者等の利便性の観点等から好ましい。
【００７３】
次に、図９を参照してコード画像により指示する方法を説明する。所望の設定情報（ＳＳＩＤ＝Ｂ）を表すコード画像を表す形状の遮蔽部材７６を予め用意しておきこれを撮影する。図９（Ａ）は、１次元のコード画像であるバーコード形状の遮蔽部材７６を示しており、図９（Ｂ）は、２次元のコード画像であるＱＲコード形状の遮蔽部材７６を示している。放射線検出器１６の撮影面の領域に、コード画像を表す形状の遮蔽部材７６を載置し、放射線画像を撮影する。この場合、コード画像が形成されている放射線画像を設定指示画像という。
【００７４】
ステップ１１０では、設定画像識別部４２は、設定指示画像に対して既知のコード画像認識手法を用いて、コード画像を認識し、当該コード画像から読み取った情報（ここでは設定項目＝ＳＳＩＤ、設定情報＝Ｂ）を設定情報として取得する。
【００７５】
なお、図９に示したバーコード及びＱＲコードに限らず、その他の１次元コード、２次元コード等でもよい。例えば、Ｄａｔａ  Ｍａｔｒｉｘ、ＰＤＦ４１７、Ｍａｘｉ  Ｃｏｄｅ等の２次元コードであってもよい。
【００７６】
また、コード画像を表す形状の遮蔽部材は、遮蔽部材７６に限らない。例えば、上述の文字形状の遮蔽部材７２のように、コード画像を表す形状が遮蔽されるものであってもよいし、コード画像を表す形状部分を放射線が透過するものであってもよい。
【００７７】
次に、設定情報記憶処理を行うタイミングとして、予め定められたタイミングで設定情報記憶処理を行う場合について詳細に説明する。なお、予め定められたタイミングとしては、例えば、利用者が放射線検出器１６に接続されたスイッチ（図示省略）等により、指示したタイミングが挙げられる。また例えば、放射線検出器１６のＳＳＩＤの設定を変更する状況としては、放射線検出器１６を使用する部屋を変更する（他の部屋に放射線検出器１６を持っていく）場合が有るがこのような場合、一般的に、放射線検出器１６の電源を遮断して持ち運びした後、電源部４８から電源を投入し、ＳＳＩＤの設定を行う。このような場合を考慮して、電源部４８から電源が投入された後の所定期間内とするタイミングが挙げられる。また、放射線検出器１６のバッテリーが交換された後、最初に電源部４８から電源が投入された後の所定期間内とするタイミングが挙げられるが、これらに限るものではなく、電源の投入中は定期的に行うようにする等、その他のタイミングであってもよい。
【００７８】
図１０に、放射線検出器１６において実行される設定情報記憶処理流れの一例のフローチャートを示す。なお、本処理は、図５に示した放射線画像を撮影する毎に設定情報記憶処理を行う場合のフローチャートと略同様の処理を行うため、略同様の処理についてはその旨を記し、詳細な説明を省略する。
【００７９】
ステップ２００では、設定指示画像読込モードを開始するか否か判断する。予め定められたタイミングで設定情報記憶処理を行う場合、予め定められたタイミングになると、放射線検出器１６は、設定指示画像を読込むための設定指示画像読込モードになる。そこで、上述したような予め定められたタイミングに達していない場合は、否定されて待機状態になり、一方、予め定められたタイミングに達した場合は、肯定されて設定指示画像読込モードになり、ステップ２０２へ進む。
【００８０】
ステップ２０２では、被験体撮影画像ではなく設定指示画像を撮影するため、図５のステップ１０８と同様に、信号ＯＵＴＰＵＴ−１を設定画像識別部４２から画像転送部４６へ出力して制御装置１２への画像データの転送を抑制する。
【００８１】
次のステップ２０４は図５のステップ１００に、次のステップ２０６は図５のステップ１０２にそれぞれ対応しており、同様にして放射線発生装置１４の放射線照射動作と同期をとることなく撮影タイミングを判断し、撮影タイミングになった場合は、リセット動作を行う。そして、次のステップ２０８では、設定指示画像を撮影する。
【００８２】
次のステップ２１０は図５のステップ１１０に、次のステップ２１２は図５のステップ１１２にそれぞれ対応しており、同様にしてステップ２０８で撮影した設定指示画像から設定項目及び設定情報を取得し、設定値記憶部４４に設定情報を記憶させた後、本処理を終了する。なお、本実施の形態では、本処理の終了に伴って設定指示画像読込モードも終了するものとしている。
【００８３】
以上、説明したように、本実施の形態に係る放射線画像撮影システム１０の放射線検出器１６は、放射線発生装置１４の放射線照射動作と同期をとることなくＴＦＴ部３０で放射線発生装置１４から照射された放射線を検出して放射線画像の撮影を行い、設定画像識別部４２で当該放射線画像が設定指示画像であるか否かの認識を行う。設定指示画像である場合は、設定画像識別部４２は信号ＯＵＴＰＵＴ−１を画像転送部４６に出力して当該設定指示画像の画像データを制御装置１２に転送しないように抑制する。また、設定指示画像から設定項目に応じた設定情報を取得し、信号ＯＵＴＰＵＴ−２を設定値記憶部４４に出力して取得した設定項目に応じた設定情報が記憶されるよう制御する。
【００８４】
このように、撮影した放射線画像に基づいて、設定指示画像であるか否か認識し、設定指示画像である場合は、設定指示画像から設定項目に応じた設定情報を取得して、設定値記憶部４４に記憶されるよう制御するため、制御装置１２と非接続な状態で放射線画像の撮影に関する設定を行うことができる。
【００８５】
従って、制御装置１２と非接続な状態で、制御装置１２と無線通信を行うための識別子の設定（本実施の形態では、具体的一例としてＳＳＩＤ）の設定を適切に行うことができる。また、設定情報を記憶させるためのスイッチ等を設けずとも、撮影した放射線画像に基づいて設定情報を容易に記憶させることができる。さらに、制御装置１２と秘説俗な状態で、種々の設定情報の設定を行うことができるため、使い勝手の面や、ワークフローの面で利便性が高くなる。
【００８６】
なお、上記実施の形態では、ＳＳＩＤの設定情報を設定値記憶部４４に記憶させることにより設定する場合について詳細に説明したがこれに限らず、その他の設定情報を設定させてもよい。一般に、制御装置１２から設定していた設定情報を本実施の形態の設定情報記憶処理により放射線検出器１６に対して設定するようにしてもよい。例えば、上述したように、ＴＦＴ部３０の電荷蓄積時間や、制御装置１２の表示手段（図示省略）に表示させたい領域等が挙げられる。特に、制御装置１２の表示手段に表示させたい表示領域を設定する場合、通常は制御装置１２の表示手段上の表示を放射線検出器１６の撮影面に見立てて、マウスやキーボード等のインターフェイスで表示領域を指示していたが、本実施の形態の設定情報記憶処理を用いれば、放射線検出器１６の撮影面上で直接、表示領域を指示することができるため、間違いを防止すると共に、指示がしやすくなる。この場合は表示領域に相当する遮光部材を放射線検出器１６の撮影面上に載置して設定指示画像の撮影を行って設定情報として表示領域を取得し、さらに制御装置１２に取得した表示領域を送信するようにすればよい。なお、ここでも遮蔽部材は上述と同様に、表示領域が遮蔽される形状であってもよいし、表示領域の部分を放射線が透過する形状であってもよく、さらに、表示領域の辺、または四隅を指示する形状であってもよく、特に限定されるものではない。
【００８７】
また、上記実施の形態では、領域により設定情報を指示する方法（図６）、文字情報により設定情報を指示する方法（図７）、形成された画像の形状により設定情報を指示する方法（図８）、及びコード画像により設定情報を指示する方法（図９）について詳細に説明したがこれに限らず、その他の方法により設定情報を指示してもよいし、これらの方法を組み合わせて設定情報を指示するようにしてもよい。なお、複数の方法を組み合わせて設定情報を指示する場合、例えば、領域により設定情報を指示する方法と文字情報により設定情報を指示する方法とを組み合わせる場合において、領域により指示された設定情報と文字情報により指示された設定情報とが異なるときは、放射線検出器１６に設けられたＬＥＤを点滅させる、電源を遮断する等、何らかの方法により利用者等に報知するようにするとよい。
【００８８】
また、上述の実施の形態では、設定画像識別部４２が放射線画像を設定指示画像と認識した場合は、信号ＯＵＴＰＵＴ−１を画像転送部４６に出力し、画像データの転送を抑制しているが、この際、必要に応じて、設定指示画像により設定情報が指示された旨を制御装置１２に送信するようにしてもよい。
【００８９】
また、上述の実施の形態では、設定画像識別部４２は、撮影面に遮蔽物を載置して放射線発生装置１４から放射線を照射して撮影を行うことにより設定指示画像を形成しているがこれに限らず、放射線検出器１６を曝射させない別の方法で設定指示画像を形成するようにしてもよい。例えば、放射線検出器１６のＴＦＴ部３０は、表面より押圧を与えることにより、その静電容量が変化する。すなわち、押圧の分布がそのまま画像に現れるため、その分布が設定情報を指示するための形状とするようにしてもよい。この場合、ＴＦＴ部３０の表面（撮影面）の設定情報が割り当てられた区分領域の所望の領域に押圧部材を押し当てたり、文字や所定の形状の押圧部材をＴＦＴ部３０の表面（撮影面）に押し当てたりしたりして設定指示画像を形成するようにすればよい。また、ＴＦＴ部３０の表面（撮影面）に文字等を書くように押圧筆跡を残し、当該押圧筆跡の設定指示画像を定期的にサンプリングして既存の筆跡追求の方法を用いて設定指示画像を認識したりするようにしてもよい。
【００９０】
また例えば、ＴＦＴ部３０は、温度特性を有しており、温度特性に基づいて画像を得ることができる。具体的例としては、人間の手をＴＦＴ部３０の表面（撮影面）に押し当てると、体温により押し当てられた部分の温度が上昇し、手形状の画像が形成される。当該特性を利用し、ＴＦＴ部３０の表面（撮影面）の設定情報が割り当てられた区分領域の所望の領域に指を押し当てたり、指でＴＦＴ部３０の表面（撮影面）に文字等を書くように押圧筆跡を残し、当該押圧筆跡の設定指示画像を定期的にサンプリングして既存の筆跡追求の方法を用いて設定指示画像を認識したりするようにしてもよい。なお、指（人体）の代りに、放射線検出器１６が置かれた雰囲気温度より高い表面温度を維持できる他の部材を用いて指示するようにしてもよい。
【００９１】
その他、本実施の形態で説明した放射線画像撮影システム１０、制御装置１２、放射線発生装置１４、及び放射線検出器１６等の構成、遮蔽部材の形状等は一例であり、本発明の主旨を逸脱しない範囲内において状況に応じて変更可能であることは言うまでもない。
【００９２】
また、本実施の形態で説明した設定情報記憶処理の流れの一例（図５、１０）も一例であり、本発明の主旨を逸脱しない範囲内において状況に応じて変更可能であることは言うまでもない。
【００９３】
また、本実施の形態では、本発明の放射線としてＸ線を適用した場合について説明したが、本発明はこれに限定されるものではなく、γ線などを適用してもよい。
【符号の説明】
【００９４】
１０  放射線画像撮影システム
１２  制御装置
１４  放射線発生装置
１６  放射線検出器
３０  ＴＦＴ部
３６  制御部
４０  処理部
４２  設定画像識別部
４４  設定値記憶部
４６  画像転送部
４７  ＳＳＩＤ
４８  電源部
７０、７２、７４、７６  遮蔽物
【図１】
2012070776.tif 000003
【図２】
2012070776.tif 000004
【図３】
2012070776.tif 000005
【図４】
2012070776.tif 000006
【図５】
2012070776.tif 000007
【図６】
2012070776.tif 000008
【図７】
2012070776.tif 000009
【図８】
2012070776.tif 000010
【図９】
2012070776.tif 000011
【図１０】
2012070776.tif 000012